(57)【要約】【課題】ＰＣＩ基板およびＰＣＩｅ基板を選択的に装着することが容易であるアダプタを提供する。【解決手段】ＰＣＩ基板２０ａおよびＰＣＩｅ基板２０ｂを電子装置１２のスロット１４に設置された制御基板１６に接続するためのアダプタ１０であって、ベースプレート２４を備え、ベースプレート２４は、ＰＣＩ中継ボード３０ａと、ＰＣＩｅ中継ボード３０ｂとを、選択的に保持可能に構成された保持構造３２と、ＰＣＩブラケット２６ａと、ＰＣＩｅブラケット２６ｂとを、選択的に取り付け可能に構成された取付構造２８と、を有する。【選択図】図１
2020095443.tif 000002
【特許請求の範囲】
【請求項１】
ＰＣＩ基板およびＰＣＩｅ基板を電子装置のスロットの挿入方向側に設置された制御基板に接続するための、該スロットに挿入可能なアダプタであって、
ベースプレートを備え、
前記ベースプレートは、
前記ＰＣＩ基板と前記制御基板とを接続するためのＰＣＩ中継ボードと、前記ＰＣＩｅ基板と前記制御基板とを接続するためのＰＣＩｅ中継ボードとを、選択的に保持可能に構成された保持構造と、
前記ＰＣＩ基板を前記ベースプレートに固定するためのＰＣＩブラケットと、前記ＰＣＩｅ基板を前記ベースプレートに固定するためのＰＣＩｅブラケットとを、選択的に取り付け可能に構成された取付構造と、
を有する、アダプタ。
【請求項２】
請求項１に記載のアダプタであって、
前記保持構造は、
前記ＰＣＩ中継ボードおよび前記ＰＣＩｅ中継ボードと嵌合する溝部と、
前記溝部に嵌合した前記ＰＣＩ中継ボードまたは前記ＰＣＩｅ中継ボードを保持する保持部材と、
を有する、アダプタ。
【請求項３】
請求項２に記載のアダプタであって、
前記保持部材は、前記ＰＣＩ中継ボードおよび前記ＰＣＩｅ中継ボードに形成された凹部または係合穴に係合する係合部を有する、アダプタ。
【請求項４】
請求項１〜３のいずれか１項に記載のアダプタであって、
前記取付構造は、前記ＰＣＩブラケットおよび前記ＰＣＩｅブラケットを前記ベースプレートに取り付けるための締結部材を前記ベースプレートに挿入するための１以上の挿入穴である、アダプタ。
【請求項５】
請求項４に記載のアダプタであって、
１以上の前記挿入穴のうちの少なくとも１つは、前記ＰＣＩブラケットを前記ベースプレートに取り付ける場合と、前記ＰＣＩｅブラケットを前記ベースプレートに取り付ける場合との、いずれの場合においても前記締結部材が挿入される、アダプタ。
【請求項６】
請求項１〜５のいずれか１項に記載のアダプタであって、
前記ＰＣＩ中継ボードは、
前記制御基板と接続可能な第１コネクタと、
前記ＰＣＩ基板と接続可能な第２コネクタと、を有し、
前記ＰＣＩｅ中継ボードは、
前記第１コネクタと、
前記ＰＣＩｅ基板と接続可能な第３コネクタと、を有する、アダプタ。
【請求項７】
請求項１〜６のいずれか１項に記載のアダプタであって、
前記ベースプレートには、
前記ＰＣＩ中継ボードおよび前記ＰＣＩブラケットが設けられている、アダプタ。
【請求項８】
請求項１〜６のいずれか１項に記載のアダプタであって、
前記ベースプレートには、
前記ＰＣＩｅ中継ボードおよび前記ＰＣＩｅブラケットが設けられている、アダプタ。
【発明の詳細な説明】
【技術分野】
【０００１】
本発明は、アダプタに関する。
【背景技術】
【０００２】
回路が形成された挿入基板は、当該挿入基板が装着されたアダプタを電子装置のスロットに挿入することで、電子装置の制御基板と相互に接続することができる。これにより、挿入基板は、所定の回路が動作することによる所定の機能を電子装置に提供することができる。ここで、スロットに挿入される挿入基板には、形状や接続時の仕様が定められた特定の規格に基づいて設計されるものがある。
【０００３】
上記の規格として代表的なものの一つは、例えば、「Ｐｅｒｉｐｈｅｒａｌ  Ｃｏｍｐｏｎｅｎｔ  Ｉｎｔｅｒｃｏｎｎｅｃｔ」（ＰＣＩ規格）である。また、下記の特許文献１にも記載される「Ｐｅｒｉｐｈｅｒａｌ  Ｃｏｍｐｏｎｅｎｔ  Ｉｎｔｅｒｃｏｎｎｅｃｔ−ｅｘｐｒｅｓｓ」（ＰＣＩｅ規格）も、ＰＣＩ規格の後継規格としてよく知られている。
【先行技術文献】
【特許文献】
【０００４】
【特許文献１】実用新案登録第３１２８４９４号公報
【発明の概要】
【発明が解決しようとする課題】
【０００５】
ＰＣＩ規格の挿入基板（以下、ＰＣＩ基板）を制御基板に接続するためには、ＰＣＩ基板用のアダプタを用意しなけなければならない。同様に、ＰＣＩｅ規格の挿入基板（以下、ＰＣＩｅ基板）を制御基板に接続するためには、ＰＣＩｅ基板用のアダプタを用意しなけなければならない。言い換えるならば、ＰＣＩ基板とＰＣＩｅ基板とのそれぞれは、自身の規格に対応していないアダプタにしか装着することができない。
【０００６】
そこで、本発明は、ＰＣＩ基板およびＰＣＩｅ基板を選択的に装着することが容易であるアダプタを提供することを目的とする。
【課題を解決するための手段】
【０００７】
本発明は、ＰＣＩ基板およびＰＣＩｅ基板を電子装置のスロットの挿入方向側に設置された制御基板に接続するための、該スロットに挿入可能なアダプタであって、ベースプレートを備え、前記ベースプレートは、前記ＰＣＩ基板と前記制御基板とを接続するためのＰＣＩ中継ボードと、前記ＰＣＩｅ基板と前記制御基板とを接続するためのＰＣＩｅ中継ボードとを、選択的に保持可能に構成された保持構造と、前記ＰＣＩ基板を前記ベースプレートに固定するためのＰＣＩブラケットと、前記ＰＣＩｅ基板を前記ベースプレートに固定するためのＰＣＩｅブラケットとを、選択的に取り付け可能に構成された取付構造と、を有する。
【発明の効果】
【０００８】
本発明によれば、ＰＣＩ基板およびＰＣＩｅ基板を選択的に装着することが容易であるアダプタが提供される。
【図面の簡単な説明】
【０００９】
【図１】実施の形態のアダプタおよび電子装置の斜視図である。
【図２】実施の形態のベースプレートの斜視図である。
【図３】図３Ａは、実施の形態のＰＣＩ中継ボードの斜視図である。図３Ｂは、実施の形態のＰＣＩｅ中継ボードの斜視図である。
【発明を実施するための形態】
【００１０】
本発明のアダプタについて、好適な実施の形態を挙げ、添付の図面を参照しながら以下、詳細に説明する。
【００１１】
［実施の形態］
図１は、実施の形態のアダプタ１０および電子装置１２の斜視図である。なお、以下に記載する各方向は、図１に示した矢印が指示す方向に従っているものとする。
【００１２】
電子装置１２には、スロット１４が設けられる。このスロット１４の挿入方向（前方向）側には、制御基板１６が設置される。また、制御基板１６には、アダプタ１０と接続されるためのスロット側コネクタ１８が設けられる。スロット側コネクタ１８の接続仕様は、設計者の任意で決定してよい。本実施の形態では、スロット側コネクタ１８の接続仕様として、ＰＣＩ規格でもＰＣＩｅ規格でもない、設計者が独自に設計した仕様が採用されているものとする。
【００１３】
本実施形態のアダプタ１０は、上述のように、スロット側コネクタ１８を介して制御基板１６と接続されるものである。アダプタ１０は、スロット１４に挿入されることで、スロット側コネクタ１８を介して制御基板１６と接続される。また、このアダプタ１０には、挿入基板２０を装着および接続することができる。挿入基板２０を装着したアダプタ１０をスロット１４に挿入することで、アダプタ１０およびスロット側コネクタ１８を介して制御基板１６と挿入基板２０とを接続することができる。
【００１４】
本実施の形態の挿入基板２０には、ＰＣＩ規格に基づいて形状や接続仕様が設計されたＰＣＩ基板２０ａと、ＰＣＩｅ規格に基づいて形状や接続仕様が設計されたＰＣＩｅ基板２０ｂと、が存在する。本実施の形態のアダプタ１０には、ＰＣＩ基板２０ａとＰＣＩｅ基板２０ｂとを選択的に装着可能である。以下では、そのようなアダプタ１０の構成について、より詳細に説明する。なお、以下においても、ＰＣＩ基板２０ａとＰＣＩｅ基板２０ｂとをあえて区別する必要がないときには、両者を指して単に「挿入基板２０」とも記載する。
【００１５】
図１のように、アダプタ１０は、挿入基板２０を載せるベースプレート２４を備える。ベースプレート２４には、ＰＣＩ基板２０ａおよびＰＣＩｅ基板２０ｂを選択的に１つ載せることができる。ベースプレート２４に載せられた挿入基板２０は、ブラケット２６、および、ベースプレート２４が備える取付構造２８によって、ベースプレート２４に取り付けられる。また、ベースプレート２４に載せられた挿入基板２０は、アダプタ１０に備わった中継ボード３０と接続される。中継ボード３０は、ベースプレート２４が備える保持構造３２によって保持される。
【００１６】
ブラケット２６とは、挿入基板２０をベースプレート２４に対して固定するための固定用部材であって、本実施の形態では挿入基板２０の右方向側の側面に接続されている。ブラケット２６には、締結部材３４を挿入するための１以上の挿入孔３６が設けられている。締結部材３４とは、例えば、ネジ、あるいはボルトである。
【００１７】
図２は、実施の形態のベースプレート２４の斜視図である。
【００１８】
ベースプレート２４の取付構造２８は、締結部材３４を挿入するための１以上の挿入穴３８を有する。本実施の形態では、ブラケット２６の挿入孔３６とベースプレート２４の挿入穴３８とを対応させた状態で締結部材３４を挿入することで、ブラケット２６をベースプレート２４に対して固定する。上述したように、ブラケット２６と挿入基板２０とは接続されている。したがって、ブラケット２６を締結部材３４でベースプレート２４を固定することにより、挿入基板２０がベースプレート２４に対して固定される。
【００１９】
なお、ブラケット２６には、ＰＣＩ基板２０ａを固定するためのＰＣＩブラケット２６ａと、ＰＣＩｅ基板２０ｂを固定するためのＰＣＩｅブラケット２６ｂと、が存在する。したがって、当業者は、ベースプレート２４にＰＣＩ基板２０ａを載せたときには、ＰＣＩブラケット２６ａをベースプレート２４に設けることができる。また、当業者は、ベースプレート２４にＰＣＩｅ基板２０ｂを載せたときには、ＰＣＩｅブラケット２６ｂをベースプレート２４に設けることができる。
【００２０】
ベースプレート２４には、ＰＣＩブラケット２６ａの挿入孔３６に対応する挿入穴３８ａと、ＰＣＩｅブラケット２６ｂの挿入孔３６に対応する挿入穴３８ｂとが、それぞれ設けられている。したがって、当業者は、ＰＣＩブラケット２６ａをベースプレート２４に設けたときには、挿入穴３８ａに締結部材３４を挿入することができる。また、当業者は、ＰＣＩｅブラケット２６ｂをベースプレート２４に設けたときには、挿入穴３８ｂに締結部材３４を挿入することができる。このようにして、本実施の形態では、ＰＣＩブラケット２６ａとＰＣＩｅブラケット２６ｂとを選択的にベースプレート２４に取り付け可能としている。
【００２１】
ベースプレート２４の保持構造３２は、中継ボード３０と嵌合する溝部４０と、溝部４０に嵌合した中継ボード３０を保持する保持部材４２と、を有する。本実施の形態では、保持部材４２は、ツメ状の係合部４４を有する。係合部４４は、後述の中継ボード３０に設けられた凹部４６と係合させるためものである（図１の拡大図も参照）。図２のように、本実施の形態の保持部材４２は、ベースプレート２４において左右方向に離間して２つ設けられる。
【００２２】
図３Ａは、実施の形態のＰＣＩ中継ボード３０ａの斜視図である。図３Ｂは、実施の形態のＰＣＩｅ中継ボード３０ｂの斜視図である。
【００２３】
中継ボード３０には、ＰＣＩ基板２０ａと制御基板１６とを接続するためのＰＣＩ中継ボード３０ａと、ＰＣＩｅ基板２０ｂと制御基板１６とを接続するためのＰＣＩｅ中継ボード３０ｂと、が存在する。したがって、当業者は、ベースプレート２４にＰＣＩ基板２０ａを載せたときには、ＰＣＩ中継ボード３０ａをベースプレート２４に設けることができる。また、当業者は、ベースプレート２４にＰＣＩｅ基板２０ｂを載せたときには、ＰＣＩｅ中継ボード３０ｂをベースプレート２４に設けることができる。
【００２４】
本実施の形態では、ＰＣＩ中継ボード３０ａとＰＣＩｅ中継ボード３０ｂとの各々のサイズ（縦、横、および高さ）は同じであるとする。なお、以下においても、ＰＣＩ中継ボード３０ａとＰＣＩｅ中継ボード３０ｂとをあえて区別する必要がないときには、両者を指して単に「中継ボード３０」とも記載する。
【００２５】
ベースプレート２４の係合部４４と係合する凹部４６は、ＰＣＩ中継ボード３０ａとＰＣＩｅ中継ボード３０ｂとで共通の構成である。凹部４６は、中継ボード３０の、左右方向の両端側に１つずつ設けられる。左右方向の両端側に１つずつ設けられる凹部４６は、ベースプレート２４に設けられた２つの保持部材４２の各々に対応する。これにより、本実施の形態では、ＰＣＩ中継ボード３０ａとＰＣＩｅ中継ボード３０ｂとを選択的にベースプレート２４に保持可能にしている。なお、凹部４６が設けられる位置は、中継ボード３０の左右方向の両端側に限定されない。例えば、左右方向の一端側のみに１つだけ設けるようにしてもよい。その場合は、ベースプレート２４に設ける保持部材４２の数も、凹部４６の数に対応して、１つにしてよい。
【００２６】
中継ボード３０は、挿入方向と交差する第１面４８および第２面５０を有する。第１面４８は、アダプタ１０をスロット１４に挿入するときにおいて、制御基板１６側（前方向側）にある面である。第２面５０は、アダプタ１０をスロット１４に挿入するときにおいて、挿入基板２０側（後方向側）にある面である。中継ボード３０は、ＰＣＩ中継ボード３０ａとＰＣＩｅ中継ボード３０ｂとで共通の構成として、制御基板１６と接続可能な第１コネクタ５２を第１面４８に有する。すなわち、第１コネクタ５２は、スロット１４に設けられたスロット側コネクタ１８と接続可能なコネクタである。
【００２７】
ＰＣＩ中継ボード３０ａは、ＰＣＩ基板２０ａと接続可能な第２コネクタ５４を第２面５０に有する。すなわち、第２コネクタ５４は、ＰＣＩ基板２０ａに設けられた基板側コネクタ２２と接続可能なコネクタである。ＰＣＩ中継ボード３０ａの第１コネクタ５２および第２コネクタ５４は、ＰＣＩ中継ボード３０ａの内部に形成された所定の信号変換構造を介して接続されている。これにより、ＰＣＩ規格で設計されたＰＣＩ基板２０ａを、スロット側コネクタ１８を介して制御基板１６に接続することができる。
【００２８】
ＰＣＩｅ中継ボード３０ｂは、ＰＣＩｅ基板２０ｂと接続可能な第３コネクタ５６を第２面５０に有する。すなわち、第３コネクタ５６は、ＰＣＩｅ基板２０ｂに設けられた基板側コネクタ２２と接続可能なコネクタである。ＰＣＩｅ中継ボード３０ｂの第２面５０に第２コネクタ５４は設けられない。ＰＣＩｅ中継ボード３０ｂの第１コネクタ５２および第３コネクタ５６は、ＰＣＩｅ中継ボード３０ｂの内部に形成された所定の信号変換構造を介して接続されている。これにより、ＰＣＩｅ規格で設計されたＰＣＩｅ基板２０ｂを、スロット側コネクタ１８を介して制御基板１６に接続することができる。
【００２９】
以上のように説明されるアダプタ１０は、例えば、ＰＣＩ基板２０ａを制御基板１６に接続しようとするときには、ＰＣＩ中継ボード３０ａおよびＰＣＩブラケット２６ａをベースプレート２４に設けることで容易に組み立てることができる。そして、組み上がったアダプタ１０にＰＣＩ基板２０ａを装着し、当該アダプタ１０をスロット１４に挿入することで、ＰＣＩ基板２０ａと制御基板１６とを接続することができる。
【００３０】
また、アダプタ１０は、一度設けたＰＣＩ中継ボード３０ａをＰＣＩｅ中継ボード３０ｂに交換すること、および、一度設けたＰＣＩブラケット２６ａをＰＣＩｅブラケット２６ｂに交換することが容易である。ＰＣＩｅ中継ボード３０ｂおよびＰＣＩｅブラケット２６ｂを備えたアダプタ１０にＰＣＩｅ基板２０ｂを装着し、当該アダプタ１０をスロット１４に挿入することで、ＰＣＩｅ基板２０ｂと制御基板１６とを接続することができる。言うまでもないが、アダプタ１０は、一度設けたＰＣＩｅ中継ボード３０ｂをＰＣＩ中継ボード３０ａに交換すること、および、一度設けたＰＣＩｅブラケット２６ｂをＰＣＩブラケット２６ａに交換することもまた容易である。
【００３１】
このように、本実施の形態のアダプタ１０は、ベースプレート２４が備えた取付構造２８および保持構造３２により、ブラケット２６および中継ボード３０を適宜組み替えることが容易である。したがって、本実施の形態のアダプタ１０は、ＰＣＩ基板２０ａとＰＣＩｅ基板２０ｂとを選択的に装着することが容易である。
【００３２】
本実施の形態では、スロット側コネクタ１８が当業者の独自仕様であるとして説明した。アダプタ１０が対応可能なスロット側コネクタ１８は、当業者の独自仕様のものに限定されない。例えば、スロット側コネクタ１８がＰＣＩｅ規格対応であって、基板側コネクタ２２がＰＣＩ規格対応であれば、ＰＣＩｅ規格対応の第１コネクタ５２を有するＰＣＩ中継ボード３０ａがベースプレート２４に設けられてよい。
【００３３】
また、ＰＣＩｅ規格の基板側コネクタ２２には、ストレート形式と呼ばれるものと、ライトアングル形式と呼ばれるものとが存在する。ストレート形式は、ＰＣＩ規格の基板側コネクタ２２にも採用される形式であって、基板側コネクタ２２の向きが挿入方向と平行である。そのようなストレート形式に対し、ライトアングル形式は、基板側コネクタ２２の向きが挿入方向と交差する方向である。以上に関して、ＰＣＩｅ中継ボード３０ｂについては、ストレート形式の基板側コネクタ２２に対応する第３コネクタ５６を有するものと、ライトアングル形式の基板側コネクタ２２に対応する第３コネクタ５６’を有するものとを、適宜用意してよい。
【００３４】
［変形例］
以上、本発明の一例として実施の形態が説明されたが、上記実施の形態に、多様な変更または改良を加えることが可能であることはもちろんである。その様な変更または改良を加えた形態も本発明の技術的範囲に含まれ得ることが、特許請求の範囲の記載から明らかである。
【００３５】
（変形例１）
上記実施の形態では、ＰＣＩブラケット２６ａの挿入孔３６に対応する挿入穴３８ａと、ＰＣＩｅブラケット２６ｂの挿入孔３６に対応する挿入穴３８ｂとを、それぞれベースプレート２４に設けることを説明した。挿入穴３８のうちの少なくとも１つは、ＰＣＩブラケット２６ａをベースプレート２４に取り付ける場合と、ＰＣＩｅブラケット２６ｂをベースプレート２４に取り付ける場合との、いずれにおいても締結部材３４が挿入されるように設けられてもよい。すなわち、１以上の挿入穴３８のうちの少なくとも１つが、ＰＣＩブラケット２６ａのある１つの挿入孔３６と、ＰＣＩｅブラケット２６ｂのある１つの挿入孔３６との、それぞれに対応できる位置に設けられていてもよい。これにより、ベースプレート２４に設ける挿入穴３８の数を低減することができる。
【００３６】
（変形例２）
上記実施の形態では、ベースプレート２４の係合部４４と係合させるための凹部４６が中継ボード３０に設けられることを説明した。中継ボード３０には、凹部４６に替えて、例えば係合穴４６’が設けられてもよい。係合部４４と係合穴４６’を係合させることによってでも、上記実施の形態と同様に、中継ボード３０をベースプレート２４に対して良好に保持することができる。
【００３７】
（変形例３）
上記実施の形態では、中継ボード３０の左右方向における両端側に凹部４６が１つずつ設けられてよいことを説明した。また、変形例２では、凹部４６に替えて係合穴４６’が設けられてもよいことを説明した。以上に関連して、例えば、中継ボード３０の左右方向における両端側のうち、一方の側に凹部４６が設けられるとともに、他方の側に変形例２で説明した係合穴４６’が設けられてもよい。これにより、保持部材４２および中継ボード３０に関し、設計自由度が向上する。
【００３８】
（変形例４）
上記実施の形態では、ベースプレート２４の保持部材４２と、中継ボード３０の凹部４６とが、それぞれ対応して２つずつ、または、１つずつ設けられてよいことを説明した。保持部材４２と凹部４６とは、それぞれ対応して３つずつ以上設けられてもよい。また、変形例２および変形例３に関連して、例えば、中継ボード３０に設けられる３つ以上の凹部４６のうち、少なくとも１つに替えて、係合穴４６’が中継ボード３０に設けられていてもよい。これにより、保持部材４２および中継ボード３０に関し、設計自由度が向上する。
【００３９】
（変形例５）
上記実施の形態では、中継ボード３０に嵌合する溝部４０をベースプレート２４の保持構造３２が有することを説明した。保持構造３２は、溝部４０の縁の少なくとも一部に、中継ボード３０を支持する一対の土手を有してもよい。これにより、より安定的に中継ボード３０を保持することができる。
【００４０】
（変形例６）
上記実施の形態および変形例は、矛盾の生じない範囲内で、適宜組み合わされてよい。
【００４１】
［実施の形態から得られる発明］
上記実施の形態および変形例から把握しうる発明について、以下に記載する。
【００４２】
ＰＣＩ基板（２０ａ）およびＰＣＩｅ基板（２０ｂ）を電子装置（１２）のスロット（１４）の挿入方向側に設置された制御基板（１６）に接続するための、該スロット（１４）に挿入可能なアダプタ（１０）は、ベースプレート（２４）を備え、前記ベースプレート（２４）は、前記ＰＣＩ基板（２０ａ）と前記制御基板（１６）とを接続するためのＰＣＩ中継ボード（３０ａ）と、前記ＰＣＩｅ基板（２０ｂ）と前記制御基板（１６）とを接続するためのＰＣＩｅ中継ボード（３０ｂ）とを、選択的に保持可能に構成された保持構造（３２）と、前記ＰＣＩ基板（２０ａ）を前記ベースプレート（２４）に固定するためのＰＣＩブラケット（２６ａ）と、前記ＰＣＩｅ基板（２０ｂ）を前記ベースプレート（２４）に固定するためのＰＣＩｅブラケット（２６ｂ）とを、選択的に取り付け可能に構成された取付構造（２８）と、を有する。
【００４３】
これにより、ＰＣＩ基板（２０ａ）およびＰＣＩｅ基板（２０ｂ）を選択的に装着することが容易であるアダプタ（１０）が提供される。
【００４４】
前記保持構造（３２）は、前記ＰＣＩ中継ボード（３０ａ）および前記ＰＣＩｅ中継ボード（３０ｂ）と嵌合する溝部（４０）と、前記溝部（４０）に嵌合した前記ＰＣＩ中継ボード（３０ａ）または前記ＰＣＩｅ中継ボード（３０ｂ）を保持する保持部材（４２）と、を有してよい。これにより、ＰＣＩ中継ボード（３０ａ）とＰＣＩｅ中継ボード（３０ｂ）とを選択的に保持可能となる。
【００４５】
前記保持部材（４２）は、前記ＰＣＩ中継ボード（３０ａ）および前記ＰＣＩｅ中継ボード（３０ｂ）に形成された凹部（４６）または係合穴（４６’）に係合する係合部（４４）を有してよい。これにより、溝部（４０）とともに、中継ボード（３０）をベースプレート（２４）に安定的に保持することができる。
【００４６】
前記取付構造（２８）は、前記ＰＣＩブラケット（２６ａ）および前記ＰＣＩｅブラケット（２６ｂ）を前記ベースプレート（２４）に取り付けるための締結部材（３４）を前記ベースプレート（２４）に挿入するための１以上の挿入穴（３８）であってよい。これにより、ＰＣＩブラケット（２６ａ）とＰＣＩｅブラケット（２６ｂ）とを選択的に取り付け可能となる。
【００４７】
１以上の前記挿入穴（３８）のうちの少なくとも１つは、前記ＰＣＩブラケット（２６ａ）を前記ベースプレート（２４）に取り付ける場合と、前記ＰＣＩｅブラケット（２６ｂ）を前記ベースプレート（２４）に取り付ける場合との、いずれの場合においても前記締結部材（３４）が挿入されてよい。これにより、ベースプレート（２４）に設ける挿入穴（３８）の数を低減することができる。
【００４８】
前記ＰＣＩ中継ボード（３０ａ）は、前記制御基板（１６）と接続可能な第１コネクタ（５２）と、前記ＰＣＩ基板（２０ａ）と接続可能な第２コネクタ（５４）と、を有してよく、前記ＰＣＩｅ中継ボード（３０ｂ）は、前記第１コネクタ（５２）と、前記ＰＣＩｅ基板（２０ｂ）と接続可能な第３コネクタ（５６、５６’）と、を有してよい。これにより、ＰＣＩ基板（２０ａ）と制御基板（１６）とをＰＣＩ中継ボード（３０ａ）を介して接続することが可能になる。また、これにより、ＰＣＩｅ基板（２０ｂ）と制御基板（１６）とをＰＣＩｅ中継ボード（３０ｂ）を介して接続することが可能になる。
【００４９】
前記ベースプレート（２４）には、前記ＰＣＩ中継ボード（３０ａ）および前記ＰＣＩブラケット（２６ａ）が設けられてよい。これにより、電子装置（１２）のスロット（１４）にアダプタ（１０）を挿入したときに、ＰＣＩ基板（２０ａ）と制御基板（１６）とを接続することができる。
【００５０】
前記ベースプレート（２４）には、前記ＰＣＩｅ中継ボード（３０ｂ）および前記ＰＣＩｅブラケット（２６ｂ）が設けられてよい。これにより、電子装置（１２）のスロット（１４）にアダプタ（１０）を挿入したときに、ＰＣＩｅ基板（２０ｂ）と制御基板（１６）とを接続することができる。
【符号の説明】
【００５１】
１０…アダプタ                          １２…電子装置
１４…スロット                          １６…制御基板
１８…スロット側コネクタ                ２０…挿入基板
２０ａ…ＰＣＩ基板                      ２０ｂ…ＰＣＩｅ基板
２２…基板側コネクタ                    ２４…ベースプレート
２６…ブラケット                        ２６ａ…ＰＣＩブラケット
２６ｂ…ＰＣＩｅブラケット              ２８…取付構造
３０…中継ボード                        ３０ａ…ＰＣＩ中継ボード
３０ｂ…ＰＣＩｅ中継ボード              ３２…保持構造
３４…締結部材                          ３６…挿入孔
３８…挿入穴                            ３８ａ…ＰＣＩ対応の挿入孔
３８ｂ…ＰＣＩｅ対応の挿入孔            ４０…溝部
４２…保持部材                          ４４…係合部
４６…凹部                              ４６’…係合穴
４８…第１面                            ５０…第２面
５２…第１コネクタ                      ５４…第２コネクタ
５６…第３コネクタ                      ５６’…ライトアングル形式の第３コネクタ
【図１】
2020095443.tif 000003
【図２】
2020095443.tif 000004
【図３】
2020095443.tif 000005